(57)【要約】【課題】住宅ユニットの壁枠組の上面に段差を生じることなく、複数の住宅ユニットを金物化を回避しつつ壁枠組の上端部において納まり良く接合一体化することのできる住宅ユニットの上部連結構造を提供する。【解決手段】枠組壁構法によるユニット住宅１０を構成する複数の住宅ユニット１１ｂ，１１ｃを、壁枠組の上端部において接合一体化するための住宅ユニットの上部連結構造１４Ａであって、上枠１５の上面に頭つなぎ１６を重ねて設置すると共に、住宅ユニット１１ｂ，１１ｃの角部分において頭つなぎ１６を切欠いて接合用段部１７ｂ，１７ｃを形成し、隣接する住宅ユニット１１ｂ．１１ｃの接合用段部１７ｂ，１７ｃに跨って、頭つなぎ１６と同じ厚さの接合用枠組部材１８を住宅ユニット１１ｂ，１１ｃの角部分に取付けることにより、接合用枠組部材１８を介して複数の住宅ユニット１１ｂ，１１ｃの上部を相互に接合する。【選択図】　　　　図３
2004084352.tif 000002
【特許請求の範囲】
【請求項１】
枠組壁構法によるユニット住宅を構成する複数の住宅ユニットを、壁枠組の上端部において接合一体化するための住宅ユニットの上部連結構造であって、
前記壁枠組を構成する上枠の上面に上段枠組部材を重ねて設置すると共に、前記住宅ユニットの角部分において前記上段枠組部材を切欠いて接合用段部を形成し、隣接する複数の住宅ユニットの前記接合用段部に跨って、前記上段枠組部材と同じ厚さの接合用枠組部材を前記複数の住宅ユニットの角部分に取付けることにより、
該接合用枠組部材を介して前記複数の住宅ユニットの上部を相互に接合することを特徴とする住宅ユニットの上部連結構造。
【請求項２】
前記上段枠組部材は、前記上枠と同様の枠組壁構法用枠部材からなる頭つなぎである請求項１に記載の住宅ユニットの上部連結構造。
【請求項３】
前記接合用枠組部材は、前記上枠と同様の枠組壁構法用枠部材から形成される請求項２に記載の住宅ユニットの上部連結構造。
【請求項４】
前記接合用枠組部材は、複数の上側接合用枠組部材と複数の下側接合用枠組部材とをこれらの各継ぎ目部をずらせて重合わせた二重構造を備えている請求項２に記載の住宅ユニットの上部連結構造。
【請求項５】
前記上段枠組部材は、前記上枠の幅と同等の幅を有する帯板状に形成された合板材料又は単板積層材からなる請求項１に記載の住宅ユニットの上部連結構造。
【請求項６】
前記接合用枠組部材は、前記頭つなぎ、前記合板材料又は単板積層材と同じ厚さを有し隣接する前記複数の住宅ユニットの角部分の接合用段部に一体として跨がる形状に加工形成した合板材料又は単板積層材からなる請求項２又は５に記載の住宅ユニットの上部連結構造。
【発明の詳細な説明】
【０００１】
【発明の属する技術分野】
本発明は、枠組壁構法（ツーバイフォー構法）によるユニット住宅を構成する複数の住宅ユニットを、壁枠組の上端部において接合一体化するための住宅ユニットの上部連結構造に関する。
【０００２】
【従来の技術及び発明が解決しようとする課題】
近年、住宅建築物の施工の迅速化や高精度化を図るべく、予め工場等で形成された複数の住宅ユニットを建築現場で組立てて構築するユニット住宅が種々開発されている。このようなユニット住宅においては、形成された各住宅ユニットを例えば運送用のトラック等に積み込んで建築現場に搬入し、例えばクレーン等の吊上げ用の重機を用いて吊上げて所定の位置に設置し、他の住宅ユニットと共に接合一体化することによってユニット住宅を組立てる。
【０００３】
一方、住宅の骨組みを構成する木材の種類を少なくして施工することが可能な枠組壁構法（ツーバイフォー構法）によるユニット住宅においては、各住宅ユニットは、例えば根太によって矩形状に組立てた床枠組の上面に床用面材を取付けることによって床パネルを形成し、下枠、縦枠、及び上枠からなる壁枠組を、形成した床パネルの四方の辺縁部の少なくとも一部から立設配置することによって構成される。また壁枠組には、内外両面に予め壁用面材が取付けられるか、あるいは施工現場に住宅ユニットが据付けられた後に壁用面材が取付けられて、耐力壁としての壁パネルが形成されることになる。
【０００４】
このような枠組壁構法による複数の住宅ユニットを、施工現場において接合一体化する方法としては、例えば特開平８−１３６１３号〜特開平８−１３６１６号公報に記載されるような接合プレートを用いたものが一般的に知られている。すなわち、接合プレートを用いた連結構造によれば、隣接する複数の住宅ユニットの接合される各角部分に跨って、壁パネルの上端部に配置された上枠や頭つなぎの上面に、接合部分の形状に対応するＩ字形、Ｌ字形、Ｔ字形、十字形等の平面形状を有する接合プレートを、各隣接する住宅ユニットの継ぎ目部に跨って連続して取付けることにより、当該接合プレートを介して複数の住宅ユニットの上部を相互に接合するものである。
【０００５】
しかしながら、上記接合プレートを用いた住宅ユニットの上部連結構造によれば、接合プレートは、その厚みの分だけ上枠や頭つなぎの上面から突出することになるので、接合される角部分において接合プレートによる段差が生じることになり、したがって各住宅ユニットの上方にさらに上階の住宅ユニットや屋根ユニットを重ねて設置する際には、その安定性が損なわれることになる。また、金属製の接合プレートを用いた場合は、特にその取付け箇所がユニット住宅の外周壁廻りに位置すると、接合プレートにより金物化した部分が熱橋や冷橋等による熱的な欠損部分となりやすい。
【０００６】
本発明は、このような従来の課題に着目してなされたものであり、住宅ユニットの壁枠組の上面に段差を生じることなく、複数の住宅ユニットを金物化を回避しつつ壁枠組の上端部において納まり良く接合一体化することのできる住宅ユニットの上部連結構造を提供することを目的とする。
【０００７】
【課題を解決するための手段】
本発明は、枠組壁構法によるユニット住宅を構成する複数の住宅ユニットを、壁枠組の上端部において接合一体化するための住宅ユニットの上部連結構造であって、前記壁枠組を構成する上枠の上面に上段枠組部材を重ねて設置すると共に、前記住宅ユニットの角部分において前記上段枠組部材を切欠いて接合用段部を形成し、隣接する複数の住宅ユニットの前記接合用段部に跨って、前記上段枠組部材と同じ厚さの接合用枠組部材を前記複数の住宅ユニットの角部分に取付けることにより、該接合用枠組部材を介して前記複数の住宅ユニットの上部を相互に接合することを特徴とする住宅ユニットの上部連結構造を提供することにより、上記目的を達成したものである（請求項１記載の発明）。
【０００８】
また、本発明の住宅ユニットの上部連結構造は、前記上段枠組部材が、前記上枠と同様の枠組壁構法用枠部材からなる頭つなぎであることが好ましい（請求項２記載の発明）。
【０００９】
さらに、本発明の住宅ユニットの上部連結構造は、前記接合用枠組部材が、前記上枠と同様の枠組壁構法用枠部材から形成されていることが好ましい（請求項３記載の発明）。
【００１０】
さらにまた、本発明の住宅ユニットの上部連結構造は、前記接合用枠組部材が、複数の上側接合用枠組部材と複数の下側接合用枠組部材とをこれらの各継ぎ目部をずらせて重合わせた二重構造を備えていることが好ましい（請求項４記載の発明）。
【００１１】
そして、本発明の住宅ユニットの上部連結構造は、前記上段枠組部材を、前記上枠の幅と同等の幅を有する帯板状に形成された合板材料又は単板積層材とすることもできる（請求項５記載の発明）。
【００１２】
また、本発明の住宅ユニットの上部連結構造は、前記接合用枠組部材を、前記頭つなぎ、前記合板材料又は単板積層材と同じ厚さを有し隣接する前記複数の住宅ユニットの角部分の接合用段部に一体として跨がる形状に加工形成した合板材料又は単板積層材とすることもできる（請求項６記載の発明）。
【００１３】
【発明の実施の形態】
以下本発明の好ましい実施形態を添付図面を参照しつつ詳細に説明する。本実施形態の住宅ユニットの上部連結構造は、図１及び図２に示すようなユニット住宅１０において、当該ユニット住宅１０を構成する、工場等において予め組立てられた複数の住宅ユニット１１ａ，１１ｂ，１１ｃ，１１ｄ，１１ｅ，１１ｆ，１１ｇを、建築施工現場において接合一体化するための連結構造として採用されたものである。
【００１４】
ユニット住宅１０は、枠組壁構法（ツーバイフォー構法）によるユニット住宅であって、その一階部分を構成する７つの住宅ユニット１１ａ，１１ｂ，１１ｃ，１１ｄ，１１ｅ，１１ｆ，１１ｇは、各々、ユニット住宅１０を６面体形状に割付けた領域を占める形状を有している。また各住宅ユニット１１ａ，１１ｂ，１１ｃ，１１ｄ，１１ｅ，１１ｆ，１１ｇは、枠組壁構法用の枠組部材等を用いて、長方形に組立てた床枠組の上面に床用面材を取り付けてなる床パネル１２の四方の辺縁部の少なくとも一部から、下枠、縦枠、及び上枠からなる壁枠組に壁用面材を取り付けてなる壁パネル１３を立設させて形成されている。
【００１５】
そして、本実施形態の住宅ユニットの上部連結構造は、一例としてこのような一階部分の各住宅ユニット１１ａ，１１ｂ，１１ｃ，１１ｄ，１１ｅ，１１ｆ，１１ｇを、これらの上端角部分で接合一体化するために用いられる。なお、本実施形態によれば、接合一体化される一階部分の住宅ユニット１１ａ，１１ｂ，１１ｃ，１１ｄ，１１ｅ，１１ｆ，１１ｇの上方には、ユニット住宅１０の上階部分を構成する複数の住宅ユニットが据付けられて接合一体化されると共に、さらに上方には屋根ユニットが据付けられることになる。また、壁パネル１３の壁用面材は、工場等において予め壁枠組に取付けておくことができる他、住宅ユニット１１ａ，１１ｂ，１１ｃ，１１ｄ，１１ｅ，１１ｆ，１１ｇが施工現場の基礎１９の上に据付けられて接合一体化された後に壁枠組に取付けることができ、本実施形態によれば、以下の各図において、壁枠組に壁用面材を取付ける前の状態で本実施形態の各上部連結構造１４Ａ〜１４Ｆを説明する。
【００１６】
図３に示す本発明の好ましい第１実施形態の住宅ユニットの上部連結構造１４Ａは、図２のＡ部における、第２住宅ユニット１１ｂと第３住宅ユニット１１ｃの、壁枠組が長方形の短辺部のみに設けられた角部分を互いに接合一体化するための連結構造である。すなわち、本第１実施形態によれば、壁枠組を構成する上枠１５の上面に上段枠組部材として頭つなぎ１６を重ねて設置すると共に、各住宅ユニット１１ｂ，１２ｃの上端角部分において頭つなぎ１６を切欠いて接合用段部１７ｂ，１７ｃを各々形成する。そして、隣接する一対の住宅ユニット１１ｂ，１１ｃの接合用段部１７ｂ，１７ｃに跨って、頭つなぎ１６と同じ厚さの接合用枠組部材１８を住宅ユニット１１ｂ，１１ｃの上端角部分に取付けることにより、当該接合用枠組部材１８を介して隣接する一対の住宅ユニット１７ｂ，１７ｃの上部を相互に接合する。
【００１７】
本第１実施形態によれば、各住宅ユニット１１ｂ，１１ｃの短辺部に設けられた壁枠組は、枠組壁構法用枠部材として呼び寸法２インチ×４インチ（実寸法３８ｍｍ×８９ｍｍ）の大きさの矩形断面形状を有する枠部材からなる下枠（図示せず）、縦枠２０、及び上枠１５を組付けて形成されるものであり、各住宅ユニット１１ｂ，１１ｃの縦枠２０の上面に重ねて、上枠１５と同様の呼び寸法２インチ×４インチの大きさの矩形断面形状を有する枠部材からなる頭つなぎ１６が、上段枠組部材として設置されている。また頭つなぎ１６は、その端部が例えばモジュール寸法に合わせた４５０ｍｍ程度の長さで切欠かれていることにより、各住宅ユニット１１ｂ，１１ｃの角部分には接合用段部１７ｂ，１７ｃが各々形成されることになる。
【００１８】
また、本第１実施形態によれば、隣接する一対の住宅ユニット１１ｂ，１１ｃの上端角部分に取付けられる接合用枠組部材１８は、上枠１５と同様の呼び寸法２インチ×４インチの大きさの矩形断面形状を有する枠組壁構法用枠部材から形成され、例えば合板等の寸法に由来している９１０ｍｍ程度の長さを有することにより、接合用段部１７ｂ，１７ｃに跨ってこれらに一体として嵌め込まれるようにして取付けられる。なお、当該接合用段部１７ｂ，１７ｃには、上枠１５の上面から突出して、縦枠２０に一端部を固定された上階の住宅ユニットと連結するための上下連結ボルト２１が設けられており、接合用枠組部材１８は、これのボルト挿通孔２２に上下連結ボルト２１を挿通して上方に突出させた状態で、例えば釘を上枠１５に向けて打込むことにより強固に固定され、これによって隣接する一対の住宅ユニット１７ｂ，１７ｃの上部が一体として接合されることになる。
【００１９】
そして、本第１実施形態の上部連結構造１４Ａによれば、壁枠組の上面に段差を生じることなく、隣接する一対の住宅ユニット１１ｂ，１１ｃを、金物化を回避しつつ壁枠組の上端部において納まり良く接合一体化することができる。すなわち本第１実施形態によれば、上段枠組部材としての頭つなぎ１６と同じ厚さの枠組壁構法用枠部材からなる接合用枠組部材１８を、接合用段部１７ｂ，１７ｃに跨るように取付けて一対の住宅ユニット１１ｂ，１１ｃの上端を接合一体化するので、隣接する壁枠組の上端面の間に段差を生じることがなく、また連接する接合用段部１７ｂ，１７ｃに接合用枠組部材１８を嵌め込むように納めて取り付けるので、壁枠組の上方に上階の住宅ユニットや屋根ユニットを安定性した状態で容易に据付けることが可能になる。また、本第１実施形態の上部連結構造１４ａによれば、これを構成する上段枠組部材及び接合用枠組部材が木製の枠組壁構法用枠部材から形成されているので、当該連結構造１４ａにおける金物化を回避して熱橋や冷橋等による熱的な欠損部分となることがない。
【００２０】
図４に示す本発明の好ましい第２実施形態の住宅ユニットの上部連結構造１４Ｂは、図２のＢ部における、第１住宅ユニット１１ａと第４住宅ユニット１１ｄの、壁枠組が長方形の短辺部及び長辺部に各々設けられた角部分を互いに接合一体化するための連結構造である。すなわち、本第２実施形態によれば、壁枠組を構成する上枠１５の上面に上段枠組部材として頭つなぎ１６を重ねて設置すると共に、各住宅ユニット１１ａ，１１ｄの上端角部分において、短辺部及び長辺部に沿った双方の頭つなぎ１６を切欠いて、直角に折れ曲がったくの字形状の接合用段部１７ａ，１７ｄを各々形成する。
【００２１】
そして、隣接する一対の住宅ユニット１１ａ，１１ｄの接合用段部１７ａ，１７ｄの長辺部に沿った方向に跨って、頭つなぎ１６と同じ厚さの長尺の第１接合用枠組部材２３ａを取付けると共に、この第１接合用枠組部材２３ａが取付けられた部分を除く部分には、短辺部に沿った隣接する接合用段部１７ａ，１７ｄに跨って、幅の大きな短尺の第２接合用枠組部材２３ｂを取り付けることにより、当該接合用枠組部材２３ａ，２３ｂを介して隣接する一対の住宅ユニット１７ａ，１７ｄの上部を相互に接合する。
【００２２】
なお、本第２実施形態によれば、頭つなぎ１６及び第１接合用枠組部材２３ａは、いずれも呼び寸法２インチ×４インチの大きさの矩形断面形状を有する枠部材からなり、第１接合用枠組部材２３ａは、例えば９１０ｍｍ程度の長さを有している。また第２接合用枠組部材２３ｂは、呼び寸法２インチ×８インチ（実寸法３８ｍｍ×１８４ｍｍ）の大きさの矩形断面形状を有する枠部材からなり、例えば４８０ｍｍ程度の長さを有している。
【００２３】
本第２実施形態の上部連結構造１４Ｂによれば、上段枠組部材としての頭つなぎ１６と同じ厚さの枠組壁構法用枠部材からなる第１接合用枠組部材２３ａ及び第２接合用枠組部材２３ｂを、接合用段部１７ａ，１７ｄに跨るように取付けて一対の住宅ユニット１１ａ，１１ｄの上端を接合一体化することにより、上記第１実施形態の上部連結構造１４Ａと同様の作用効果を奏することになる。
【００２４】
図５に示す本発明の好ましい第３実施形態の住宅ユニットの上部連結構造１４Ｃは、図２のＣ部における、第４住宅ユニット１１ｄと第５住宅ユニット１１ｅの角部分を互いに接合一体化するための連結構造である。ここで、当該角部分における第４住宅ユニット１１ｄには、壁枠組が長方形の短辺部にのみ設けられており、第５住宅ユニット１１ｅには、壁枠組が長方形の短辺部及び長辺部に設けられている。また、本第３実施形態によれば、壁枠組を構成する上枠１５の上面に上段枠組部材として頭つなぎ１６を重ねて設置すると共に、各住宅ユニット１１ｄ，１１ｅの上端角部分において、第４住宅ユニット１１ｄについては短辺部に沿った頭つなぎ１６を切り欠いて直線状の接合用段部１７ｄを形成すると共に、第５住宅ユニット１１ｅについては短辺部及び長辺部に沿った頭つなぎ１６を切り欠いて、直角に折れ曲がったくの字形状の接合用段部１７ｅを形成する。
【００２５】
そして、本第３実施形態によれば、接合用枠組部材として、複数の上側接合用枠組部材２４ａ，２４ｂと複数の下側接合用枠組部材２５ａ，２５ｂ，２５ｃとを、これらの各継ぎ目部２６を直角にずらせて重合わせた二重構造のものを用いて一対の住宅ユニット１１ｄ，１１ｅの上部を相互に接合するようになっている。すなわち、住宅ユニット１１ｄ，１１ｅのＴ字状に連接する接合用段部１７ｄ，１７ｅには、まず第１下側接合用枠組部材２５ａを、第５住宅ユニット１１ｅの長辺部に沿ってその先端が壁枠組の側面に至るように取付ける。またこの第１下側接合用枠組部材２５ａの先端部分を挟んでその両側に、第５住宅ユニット１１ｅの短辺部に沿った第２下側接合用枠組部材２５ｂと、第４住宅ユニット１１ｄの短辺部に沿った第３下側接合用枠組部材２５ｃとを取付ける。
【００２６】
次に、第１下側接合用枠組部材２５ａと、これの両側の第２下側接合用枠組部材２５ｂ及び第３下側接合用枠組部材２５ｃとの一対の継ぎ目部２６を一体として覆うようにして、第５住宅ユニット１１ｅの短辺部及び第４住宅ユニット１１ｄの短辺部に沿って長尺の第１上側接合用枠組部材２４ａを取付けると共に、この第１接合用枠組部材２４ａが取付けられた部分を除く第１下側接合用枠組部材２５ａの上面には、第５住宅ユニット１１ｅの長辺部に沿って短尺の第２上側接合用枠組部材２４ｂを取付けることにより、これらの二重構造の上側接合用枠組部材２４ａ，２４ｂ及び下側接合用枠組部材２５ａ，２５ｂ，２５ｃを介して、隣接する一対の住宅ユニット１１ｄ，１１ｅの上部を相互に接合する。
【００２７】
なお、本第３実施形態によれば、上側接合用枠組部材２４ａ，２４ｂと下側接合用枠組部材２５ａ，２５ｂ，２５ｃは、いずれも呼び寸法１インチ×４インチ（実寸法１９ｍｍ×８９ｍｍ）の大きさの矩形断面形状を有する枠部材からなり、上側接合用枠組部材２４ａ，２４ｂと下側接合用枠組部材２５ａ，２５ｂ，２５ｃとを重合わせた厚さは、頭つなぎ１６と同じ厚さとなる。
【００２８】
そして、本第３実施形態の上部連結構造１４Ｃによれば、上側接合用枠組部材２４ａ，２４ｂと下側接合用枠組部材２５ａ，２５ｂ，２５ｃとからなる二重構造の接合用枠組部材を、接合用段部１７ｄ，１７ｅに跨るように取付けて一対の住宅ユニット１１ｄ，１１ｅの上端を接合一体化することにより、上記第１実施形態の上部連結構造１４Ａと同様の作用効果を奏することになると共に、本第３実施形態によれば、複数の上側接合用枠組部材２４ａ，２４ｂと複数の下側接合用枠組部材２５ａ，２５ｂ，２５ｃとをこれらの各継ぎ目部２６を直角にずらせて重合わせているので、継ぎ目部２６が離れようとする動きに対して、上側接合用枠組部材２４ａ，２４ｂと下側接合用枠組部材２５ａ，２５ｂ，２５ｃとがそれぞれ抵抗することになるため、第４住宅ユニット１１ｄと第５住宅ユニット１１ｅの角部分おいて、直交するいわゆるＸＹ方向のどちらの方向に対しても、ユニット１１ｄ，１１ｅが強固に接合されるという作用効果が得られることになる。
【００２９】
図６に示す本発明の好ましい第４実施形態の住宅ユニットの上部連結構造１４Ｄは、図２のＤ部における、第１住宅ユニット１１ａと第２住宅ユニット１１ｂと第４住宅ユニット１１ｄと第５宅ユニット１１ｅとの４つの住宅ユニットの角部分を互いに接合一体化するための連結構造である。ここで、当該角部分における第１住宅ユニット１１ａ及び第４住宅ユニット１１ｄには、壁枠組が長方形の短辺部にのみ設けられており、第２住宅ユニット１１ｂ及び第５住宅ユニット１１ｅには、壁枠組が長方形の短辺部及び長辺部に設けられている。また、第１住宅ユニット１１ａ及び第４住宅ユニット１１ｄについては短辺部に沿った頭つなぎ１６を切り欠いて直線状の接合用段部１７ａ，１７ｄを形成すると共に、第２住宅ユニット１１ｂ及び第５住宅ユニット１１ｅについては短辺部及び長辺部に沿った頭つなぎ１６を切り欠いて、直角に折れ曲がったくの字形状の接合用段部１７ｂ，１７ｅを形成する。
【００３０】
そして、本第４実施形態によれば、接合用枠組部材として、複数の上側接合用枠組部材２７ａ，２７ｂ，２７ｃと複数の下側接合用枠組部材２８ａ，２８ｂ，２８ｃとを、これらの各継ぎ目部２９を直角にずらせて重合わせた二重構造のものを用いて４つの住宅ユニット１１ａ，１１ｂ，１１ｄ，１１ｅの上部を相互に接合するようになっている。すなわち、住宅ユニット１１ａ，１１ｂ，１１ｄ，１１ｅの十字状に連接する接合用段部１７ａ，１７ｂ，１７ｄ，１７ｅには、まず長尺の第１下側接合用枠組部材２８ａを、第２住宅ユニット１１ｂ及び第５住宅ユニット１１ｅの長辺部に沿ってこれらの接合部分を覆うようにして一体として取付ける。またこの第１下側接合用枠組部材２８ａの中央部分を挟んでその両側に、短辺部に沿った隣接する接合用段部１７ａ，１７ｄ或いは１７ｂ，１７ｅに跨って、幅の大きな第２下側接合用枠組部材２８ｂ或いは第３下側接合用枠組部材２８ｂを取付ける。
【００３１】
次に、第１下側接合用枠組部材２８ａと、これの両側の第２下側接合用枠組部材２８ｂ及び第３下側接合用枠組部材２８ｃとの一対の継ぎ目部２９を一体として覆うようにして、各住宅ユニット１１ａ，１１ｂ，１１ｄ，１１ｅの短辺部に沿って長尺で幅の大きな第１上側接合用枠組部材２７ａを取付けると共に、この第１接合用枠組部材２７ａが取付けられた部分を除く第１下側接合用枠組部材２８ａの上面には、第２住宅ユニット１１ｂ或いは第５住宅ユニット１１ｅの長辺部に沿って、短尺の第２上側接合用枠組部材２７ｂ或いは第３上側接合用枠組部材２７ｃを取付けることにより、これらの二重構造の上側接合用枠組部材２７ａ，２７ｂ，２７ｃ及び下側接合用枠組部材２８ａ，２８ｂ，２８ｃを介して、隣接する４つの住宅ユニット１１ａ，１１ｂ，１１ｄ，１１ｅの上部を相互に接合する。
【００３２】
なお、本第４実施形態によれば、上側接合用枠組部材２７ａ，２７ｂ，２７ｃと下側接合用枠組部材２８ａ，２８ｂ，２８ｃは、いずれも１インチ（１９ｍｍ）の厚さの矩形断面形状を有する枠部材からなり、上側接合用枠組部材２７ａ，２７ｂ，２７ｃと下側接合用枠組部材２８ａ，２８ｂ，２８ｃとを重合わせた厚さは、頭つなぎ１６と同じ厚さとなっている。
【００３３】
そして、本第４実施形態の上部連結構造１４Ｄによれば、上側接合用枠組部材２７ａ，２７ｂ，２７ｃと下側接合用枠組部材２８ａ，２８ｂ，２８ｃとからなる二重構造の接合用枠組部材を、接合用段部１７ａ，１７ｂ，１７ｄ，１７ｅに跨るように取付けて４つの住宅ユニット１１ａ，１１ｂ，１１ｄ，１１ｅの上端を接合一体化するので、上記第３実施形態の上部連結構造１４Ｄと同様の作用効果を奏することになる。
【００３４】
図７に示す本発明の好ましい第５実施形態の住宅ユニットの上部連結構造１４Ｅは、図２のＥ部における、第３住宅ユニット１１ｃと第６住宅ユニット１１ｆと第７住宅ユニット１１ｇとの３つの住宅ユニットの角部分を互いに接合一体化するための連結構造である。ここで、当該角部分における第３住宅ユニット１１ｃ及び第６住宅ユニット１１ｆには、壁枠組が長方形の短辺部及び長辺部に設けられており、第７住宅ユニット１１ｇには、壁枠組が長方形の短辺部のみに設けられている。また、第３住宅ユニット１１ｃ及び第６住宅ユニット１１ｆについては短辺部及び長辺部に沿った頭つなぎ１６を切り欠いて、直角に折れ曲がったくの字形状の接合用段部１７ｃ，１７ｆを形成すると共に、第７住宅ユニット１１ｆについては短辺部に沿った頭つなぎ１６を切り欠いて直線状の接合用段部１７ｇを形成する。
【００３５】
そして、本第５実施形態によれば、接合用枠組部材として、複数の上側接合用枠組部材３０ａ，３０ｂ，３０ｃ，３０ｄと複数の下側接合用枠組部材３１ａ，３１ｂ，３１ｃとを、これらの各継ぎ目部３２を直角にずらせて重合わせた二重構造のものを用いて３つの住宅ユニット１１ｃ，１１ｆ，１１ｇの上部を相互に接合するようになっている。すなわち、住宅ユニット１１ｃ，１１ｆ，１１ｇの十字状に連接する接合用段部１７ｃ，１７ｆ，１７ｇには、まず長尺の第１下側接合用枠組部材３１ａを、第３住宅ユニット１１ｃ及び第６住宅ユニット１１ｆの長辺部に沿ってこれらの接合部分を覆うようにして一体として取付ける。またこの第１下側接合用枠組部材３１ａの中央部分を挟んだ一方には、短辺部に沿った隣接する接合用段部１７ｃ，１７ｆに跨がる幅の大きな第２下側接合用枠組部材３１ｂが取付けられ、他方には、短辺部に沿った接合用段部１７ｇに短尺の第３下側接合用枠組部材３１ｃが取付けられる。
【００３６】
次に、第１下側接合用枠組部材３１ａと、これの両側の第２下側接合用枠組部材３１ｂ及び第３下側接合用枠組部材３１ｃとの一対の継ぎ目部３２を一体として覆うようにして、第３住宅ユニット１１ｃ及び第７住宅ユニット１１ｇの短辺部に沿って長尺の第１上側接合用枠組部材３０ａを取付けると共に、第１上側接合用枠組部材３０ａに隣接させて、短尺の第２上側接合用枠組部材３０ｂを、第１下側接合用枠組部材３１ａと第２下側接合用枠組部材３１ｂとの継ぎ目部３２を覆って第６住宅ユニット１１ｆの短辺部に沿って取付ける。また第１上側接合用枠組部材３０ａと第２上側接合用枠組部材３０ｂが取付けられた部分を除く第１下側接合用枠組部材３１ａの上面には、これらを挟んだ両側に第３上側接合用枠組部材３０ｃと第４上側接合用枠組部材３０ｄとを各々取付けることにより、これらの二重構造の上側接合用枠組部材３０ａ，３０ｂ，３０ｃ，３０ｄ及び下側接合用枠組部材３１ａ，３１ｂ，３１ｃを介して、３つの住宅ユニット１１ｃ，１１ｆ，１１ｇの上部を相互に接合する。
【００３７】
なお、本第５実施形態によれば、上側接合用枠組部材３０ａ，３０ｂ，３０ｃ，３０ｄと下側接合用枠組部材３１ａ，３１ｂ，３１ｃは、いずれも１インチ（１９ｍｍ）の厚さの矩形断面形状を有する枠部材からなり、上側接合用枠組部材３０ａ，３０ｂ，３０ｃ，３０ｄと下側接合用枠組部材３１ａ，３１ｂ，３１ｃとを重合わせた厚さは、頭つなぎ１６と同じ厚さとなっている。
【００３８】
そして、本第５実施形態の上部連結構造１４Ｅによれば、上側接合用枠組部材３０ａ，３０ｂ，３０ｃ，３０ｄと下側接合用枠組部材３１ａ，３１ｂ，３１ｃとからなる二重構造の接合用枠組部材を、接合用段部１７ｃ，１７ｆ，１７ｇに跨るように取付けて３つの住宅ユニット１１ｃ，１１ｆ，１１ｇの上端を接合一体化するので、上記第３実施形態の上部連結構造１４Ｄと同様の作用効果を奏することになる。
【００３９】
図８に示す本発明の好ましい第６実施形態の住宅ユニットの上部連結構造１４Ｆは、上記第２実施形態と同様に、図２のＢ部における、第１住宅ユニット１１ａと第４住宅ユニット１１ｄの角部分を互いに接合一体化するための連結構造である。本第６実施形態によれば、壁枠組を構成する上枠１５の上面に取付けられる上段枠組部材として、上記各実施形態における頭つなぎ１６に代えて、上枠１５の幅と同等の幅を有する帯板状に形成された、合板材料又は単板積層材（ＬＶＬ）からなる帯板状段枠組部材３３が取り付けられている。
【００４０】
また、本第６実施形態によれば、各住宅ユニット１１ａ，１１ｄの上端角部分において、短辺部及び長辺部に沿った双方の帯板状上段枠組部材３３を切欠いて各々形成された、くの字形状の接合用段部１７ａ，１７ｄに跨って取付けられる接合用枠組部材として、当該接合用段部１７ａ，１７ｄが一体となったＴ字形状に加工形成された、帯板状上段枠組部材３３と同じ厚さの合板材料又は単板積層材（ＬＶＬ）からなる接合用板部材３４が用いられる。そして隣接する一対の住宅ユニット１７ａ，１７ｄの上部は、このようにして一部材として加工形成された帯板状上段枠組部材３３を介して、上部が相互に接合されるようになっている。
【００４１】
本第６実施形態の上部連結構造１４Ｆによれば、合板材料や単板積層材を用いて上段枠組部材を形成することができると共に、帯板状上段枠組部材３３と同じ厚さの接合用板部材３４を接合用段部１７ａ，１７ｄに跨るように取付けて一対の住宅ユニット１１ａ，１１ｄの上端を接合一体化することにより、上記第１実施形態の上部連結構造１４Ａと同様の作用効果を奏することになる。また本第６実施形態によれば、接合用板部材３４は、例えばＮＣ加工機を用いて精度良く容易に加工形成することができると共に、一部材として用いることができるので、一対の住宅ユニット１１ａ，１１ｄを接合一体化する作業をさらに容易に行うことが可能になる。
【００４２】
なお、本発明は上記各実施形態に限定されることなく種々の変更が可能である。例えば、本発明の住宅ユニットの上部連結構造は、ユニット住宅の一階部分を構成する住宅ユニットに限定されることなく、上階部分を構成する住宅ユニットを接合一体化するための連結構造として採用することもできる。また頭つなぎ等の枠組壁構法用枠部材を切欠いて形成した接合用段部にも、合板材料や単板積層材からなる接合用枠組部材を取付けることができる。この際には、枠組壁構法用枠部材と同じ厚さの合板材料等を選択して用いるか、或いは複数の合板材料等を重ねることにより枠組壁構法用枠部材と同じ厚さとなるように調整して、接合用枠組部材を接合用段部に取付けることができる。
【００４３】
【発明の効果】
本発明の住宅ユニットの上部連結構造によれば、住宅ユニットの壁枠組の上面に段差を生じることなく、複数の住宅ユニットを金物化を回避しつつ壁枠組の上端部において納まり良く接合一体化することができる。
【図面の簡単な説明】
【図１】本発明の住宅ユニットの上部連結構造が採用される、複数の住宅ユニットからなるユニット住宅を例示する略示斜視図である。
【図２】本発明の住宅ユニットの上部連結構造が採用される、複数の住宅ユニットからなるユニット住宅を例示する略示平面図である。
【図３】本発明の第１実施形態に係る上部連結構造を説明する斜視図である。
【図４】本発明の第２実施形態に係る上部連結構造を説明する斜視図である。
【図５】本発明の第３実施形態に係る上部連結構造を説明する斜視図である。
【図６】本発明の第４実施形態に係る上部連結構造を説明する斜視図である。
【図７】本発明の第５実施形態に係る上部連結構造を説明する斜視図である。
【図８】本発明の第６実施形態に係る上部連結構造を説明する斜視図である。
【符号の説明】
１０　ユニット住宅
１１ａ，１１ｂ，１１ｃ，１１ｄ，１１ｅ，１１ｆ，１１ｇ　住宅ユニット
１２　床パネル
１３　壁パネル
１４Ａ，１４Ｂ，１４Ｃ，１４Ｄ，１４Ｅ，１４Ｆ，１４Ｇ　上部連結構造
１５　上枠
１６　頭つなぎ
１７ａ，１７ｂ，１７ｃ，１７ｄ　壁仕上げ材
１８，２３ａ，２３ｂ　接合用枠組部材
１９　基礎
２０　縦枠
２４ａ，２４ｂ，２７ａ，２７ｂ，２７ｃ　上側接合用枠組部材
２５ａ，２５ｂ，２５ｃ，２８ａ，２８ｂ，２８ｃ　下側接合用枠組部材
２６，２９，３２　継ぎ目部
３０ａ，３０ｂ，３０ｃ，３０ｄ　上側接合用枠組部材
３１ａ，３１ｂ，３１ｃ　下側接合用枠組部材
３３　帯板状段枠組部材（合板材料又は単板積層材）
３４　接合用板部材（合板材料又は単板積層材）
【図１】
2004084352.tif 000003
【図２】
2004084352.tif 000004
【図３】
2004084352.tif 000005
【図４】
2004084352.tif 000006
【図５】
2004084352.tif 000007
【図６】
2004084352.tif 000008
【図７】
2004084352.tif 000009
【図８】
2004084352.tif 000010